【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
非接触情報記憶媒体に記憶された識別情報を読み取る識別情報読取部と、ユーザからの画像データの入力を受け付ける入力受付部と、該入力受付部から入力された画像データを画像表示部に表示させる手段と、前記非接触情報記憶媒体が前記識別情報読取部との通信許容範囲外にあることを検知した場合に前記画像表示部の表示を消去する制御部と、を備えたことを特徴とする描画管理システム。
【請求項２】
前記識別情報読取部、前記入力受付部、前記画像データを画像表示部に表示させる手段、及び前記制御部を備えた描画端末装置と、前記描画端末装置にて描画された画像データを蓄積する画像データ蓄積部を備えたサーバ装置と、前記描画端末装置と前記サーバ装置とを接続するネットワークと、を備えたことを特徴とする請求項１の描画管理システム。
【請求項３】
前記描画端末装置は、前記サーバ装置に記憶された画像データを取得するための画像取得要求データを生成する画像取得要求データ生成部を備え、
前記サーバ装置は、前記識別情報に基づいてユーザ認証を行う認証部と、前記描画端末装置から送信されたデータに対する応答データを生成する応答データ生成部と、を備え、
前記描画端末装置は、前記非接触情報記憶媒体が前記識別情報読取部との通信許容範囲内にあることを検知した場合に、前記サーバ装置に対して前記識別情報を含む前記画像取得要求データを前記画像取得要求データ生成部により生成して送信し、
前記応答データ生成部は、受信した前記画像取得要求データの内容に応じて応答データを生成し、
前記画像表示部に、少なくとも受信した前記応答データに含まれる画像データを表示させることを特徴とする請求項２に記載の描画管理システム。
【請求項４】
前記制御部は、前記非接触情報記憶媒体が前記識別情報読取部との通信許容範囲外であることを検知した場合、所定時間経過後に前記画像表示部の表示を消去することを特徴とする請求項２又は３に記載の描画管理システム。
【請求項５】
印刷データを印刷する印刷装置を備え、
前記描画端末装置は、外部からの印刷指示命令に基づいて印刷要求データを生成する印刷要求データ生成部を備え、
前記サーバ装置は、印刷データを生成する印刷データ生成部を備え、
前記描画端末装置は、前記非接触情報記憶媒体が前記識別情報読取部との通信許容範囲内にあることを検知したときに前記印刷要求データ生成部により印刷要求データを生成して前記サーバ装置に送信し、前記印刷データ生成部は、前記印刷要求データに基づいて印刷データを生成して前記印刷装置に送信し、前記印刷装置は、受信した印刷データを印刷することを特徴とする請求項２乃至４の何れか一項に記載の描画管理システム。
【請求項６】
識別情報読取部が、非接触情報記憶媒体に記憶された識別情報を読み取るステップと、
入力受付部が、ユーザからの画像入力を受け付けるステップと、
画像表示部が、前記入力受付部から入力された画像データを表示するステップと、
制御部が、前記非接触情報記憶媒体が前記識別情報読取部との通信許容範囲外にあることを検知した場合に前記画像表示部の表示を消去するステップと、を有することを特徴とする描画管理方法。
【請求項７】
識別情報読取部が、非接触情報記憶媒体に記憶された識別情報を読み取るステップと、
入力受付部が、ユーザからの画像入力を受け付けるステップと、
画像表示部が、前記入力受付部から入力された画像データを表示するステップと、
制御部が、前記非接触情報記憶媒体が前記識別情報読取部との通信許容範囲外にあることを検知した場合に前記画像表示部の表示を消去するステップと、を有することを特徴とする描画管理プログラム。
【手続補正２】
【補正対象書類名】明細書
【補正対象項目名】０００４
【補正方法】変更
【補正の内容】
【０００４】
上記の課題を解決するために、請求項１に記載の発明は、非接触情報記憶媒体に記憶された識別情報を読み取る識別情報読取部と、ユーザからの画像データの入力を受け付ける入力受付部と、該入力受付部から入力された画像データを画像表示部に表示させる手段と、前記非接触情報記憶媒体が前記識別情報読取部との通信許容範囲外にあることを検知した場合に前記画像表示部の表示を消去する制御部と、を備えた描画管理システムを特徴とする。
請求項２に記載の発明は、請求項１において、前記識別情報読取部、前記入力受付部、前記画像データを画像表示部に表示させる手段、及び前記制御部を備えた描画端末装置と、前記描画端末装置にて描画された画像データを蓄積する画像データ蓄積部を備えたサーバ装置と、前記描画端末装置と前記サーバ装置とを接続するネットワークと、を備えたことを特徴とする。
請求項３に記載の発明は、請求項２において、前記描画端末装置は、前記サーバ装置に記憶された画像データを取得するための画像取得要求データを生成する画像取得要求データ生成部を備え、前記サーバ装置は、前記識別情報に基づいてユーザ認証を行う認証部と、前記描画端末装置から送信されたデータに対する応答データを生成する応答データ生成部と、を備え、前記描画端末装置は、前記非接触情報記憶媒体が前記識別情報読取部との通信許容範囲内にあることを検知した場合に、前記サーバ装置に対して前記識別情報を含む前記画像取得要求データを前記画像取得要求データ生成部により生成して送信し、前記応答データ生成部は、受信した前記画像取得要求データの内容に応じて応答データを生成し、前記画像表示部に、少なくとも受信した前記応答データに含まれる画像データを表示させることを特徴とする。
【手続補正３】
【補正対象書類名】明細書
【補正対象項目名】０００５
【補正方法】変更
【補正の内容】
【０００５】
請求項４に記載の発明は、請求項２又は３において、前記制御部は、前記非接触情報記憶媒体が前記識別情報読取部との通信許容範囲外であることを検知した場合、所定時間経過後に前記画像表示部の表示を消去することを特徴とする。
請求項５に記載の発明は、請求項２乃至４の何れか一項において、印刷データを印刷する印刷装置を備え、前記描画端末装置は、外部からの印刷指示命令に基づいて印刷要求データを生成する印刷要求データ生成部を備え、前記サーバ装置は、印刷データを生成する印刷データ生成部を備え、前記描画端末装置は、前記非接触情報記憶媒体が前記識別情報読取部との通信許容範囲内にあることを検知したときに前記印刷要求データ生成部により印刷要求データを生成して前記サーバ装置に送信し、前記印刷データ生成部は、前記印刷要求データに基づいて印刷データを生成して前記印刷装置に送信し、前記印刷装置は、受信した印刷データを印刷することを特徴とする。
【手続補正４】
【補正対象書類名】明細書
【補正対象項目名】０００６
【補正方法】変更
【補正の内容】
【０００６】
請求項６に記載の発明は、識別情報読取部が、非接触情報記憶媒体に記憶された識別情報を読み取るステップと、入力受付部が、ユーザからの画像入力を受け付けるステップと、画像表示部が、前記入力受付部から入力された画像データを表示するステップと、制御部が、前記非接触情報記憶媒体が前記識別情報読取部との通信許容範囲外にあることを検知した場合に前記画像表示部の表示を消去するステップと、を有する描画管理方法を特徴とする。
請求項７に記載の発明は、識別情報読取部が、非接触情報記憶媒体に記憶された識別情報を読み取るステップと、入力受付部が、ユーザからの画像入力を受け付けるステップと、画像表示部が、前記入力受付部から入力された画像データを表示するステップと、制御部が、前記非接触情報記憶媒体が前記識別情報読取部との通信許容範囲外にあることを検知した場合に前記画像表示部の表示を消去するステップと、を有する描画管理プログラムを特徴とする。